(57)【要約】【課題】  表示制御装置に接続された表示器で映像を正常に表示できるように、表示器に入力される画素クロックの周波数、表示器に入力される映像の水平画素数、垂直画素数、データ形式、色深度などの表示パラメータの調整を迅速に行えるようにする。【解決手段】  候補出力部（１０２）が表示パラメータの候補値を出力し、調整画像出力部（１０３）が、パラメータの候補値に応じた調整画像を生成して、調整画像を表示器に表示させる。表示された映像を検出して、撮像データ、照度情報、色情報を得て、これに基づいて、表示パラメータの候補値が妥当か否かを判定する。検出部の代わりに、調整作業者が目視で確認してその結果を入力するようにしても良い。【選択図】  図１
2015079180.tif 000002
【特許請求の範囲】
【請求項１】
表示器の表示パラメータを記憶する不揮発記憶部と、
前記表示パラメータの調整の制御を行う制御部と、
前記制御部からの制御により、前記表示パラメータの候補値を出力する候補出力部と、
前記候補出力部から出力された前記表示パラメータの候補値に応じて、表示パラメータの調整用の調整画像を出力する調整画像出力部と、
前記候補出力部から出力された前記表示パラメータの候補値に応じて、前記調整画像出力部から出力された調整画像を前記表示器に出力する出力信号生成部と、
前記表示器の表示状態を検出する検出部と、
前記検出部により検出された表示状態から、前記表示パラメータの候補値が妥当か否かを判定する判定部とを備え、
前記制御部は、前記判定部による判定結果に応じて、妥当と判定された前記表示パラメータの候補値を通常動作時に用いるべき表示パラメータの値として前記不揮発記憶部に記憶させ、
前記候補出力部は、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成部は、前記表示パラメータの調整後の通常動作時には、前記判定部により妥当と判定され、前記不揮発記憶部に記憶された、前記通常動作時に用いるべき前記表示パラメータの値に応じて、映像信号を前記表示器に出力する
ことを特徴とする表示制御装置。
【請求項２】
前記検出部は、前記表示器の表示状況を検出して、撮像データを出力し、
前記判定部は、前記検出部から入力された撮像データから、前記候補出力部が出力している前記表示パラメータの候補値の妥当性を判定する
ことを特徴とする請求項１に記載の表示制御装置。
【請求項３】
前記検出部は、前記表示器の表示内容の明るさを検出して、照度情報を出力し、
前記判定部は、前記検出部から入力された前記照度情報から、前記候補出力部が出力している前記表示パラメータの候補値の妥当性を判定する
ことを特徴とする請求項１に記載の表示制御装置。
【請求項４】
前記検出部は、前記表示器の表示内容の色を検出して、色情報を出力し、
前記判定部は、前記検出部から入力された前記色情報から、前記候補出力部が出力している前記表示パラメータの候補値の妥当性を判定する
ことを特徴とする請求項１に記載の表示制御装置。
【請求項５】
表示器の表示パラメータを記憶する不揮発記憶部と、
前記表示パラメータの調整の制御を行う制御部と、
前記制御部からの制御により、前記表示パラメータの候補値を出力する候補出力部と、
前記候補出力部から出力された前記表示パラメータの候補値に応じて、表示パラメータの調整用の調整画像を出力する調整画像出力部と、
前記候補出力部から出力された前記表示パラメータの候補値に応じて、前記調整画像出力部から出力された調整画像を前記表示器に出力する出力信号生成部と、
前記表示器の表示状態を検出した結果を示す情報を入力する検出情報入力部と、
前記検出情報入力部により入力された検出情報で示される表示状態から、前記表示パラメータの候補値の妥当性を判定する判定部とを備え、
前記制御部は、前記判定部による判定結果に応じて、妥当と判定された前記表示パラメータの候補値を通常動作時に用いるべき表示パラメータの値として前記不揮発記憶部に記憶させ、
前記候補出力部は、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成部は、前記表示パラメータの調整後の通常動作時には、前記判定部により妥当と判定され、前記不揮発記憶部に記憶された、前記通常動作時に用いるべき前記表示パラメータの値に応じて、映像信号を前記表示器に出力する
ことを特徴とする表示制御装置。
【請求項６】
前記制御部は、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの２以上のものを順に選択し、選択した表示パラメータの候補値を出力するように前記候補出力部を制御することを特徴とする請求項１から５のいずれか１項に記載の表示制御装置。
【請求項７】
前記調整画像出力部は、水平画素数の調整のために右端に特定のパターンを有する部分又は特定の色に塗りつぶされた部分を有する調整画像を出力することを特徴とする請求項１から６のいずれか１項に記載の表示制御装置。
【請求項８】
前記調整画像出力部は、垂直画素数の調整のために下端に特定のパターンを有する部分又は特定の色に塗りつぶされた部分を有する調整画像を出力することを特徴とする請求項１から７のいずれか１項に記載の表示制御装置。
【請求項９】
表示器の表示パラメータの候補値を出力する候補出力ステップと、
前記候補出力ステップにより出力された前記表示パラメータの候補値に応じて、表示パラメータの調整用の調整画像を出力する調整画像出力ステップと、
前記候補出力ステップにより出力された前記表示パラメータの候補値に応じて、前記調整画像出力ステップにより出力された調整画像を前記表示器に出力する出力信号生成ステップと、
前記表示器の表示状態を検出する検出ステップと、
前記検出ステップにより検出された表示状態から、前記表示パラメータの候補値が妥当か否かを判定する判定ステップと、
前記判定ステップによる判定結果に応じて、妥当と判定された前記表示パラメータの候補値を通常動作時に用いるべき表示パラメータの値として不揮発記憶部に記憶させる制御ステップとを有し、
前記候補出力ステップは、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成ステップは、前記表示パラメータの調整後の通常動作時には、前記判定ステップにより妥当と判定され、前記不揮発記憶部に記憶された、前記通常動作時に用いるべき前記表示パラメータの値に応じて、映像信号を前記表示器に出力する
ことを特徴とする表示制御方法。
【請求項１０】
表示器の表示パラメータの候補値を出力する候補出力ステップと、
前記候補出力ステップにより出力された前記表示パラメータの候補値に応じて、表示パラメータの調整用の調整画像を出力する調整画像出力ステップと、
前記候補出力ステップにより出力された前記表示パラメータの候補値に応じて、前記調整画像出力ステップから出力された調整画像を前記表示器に出力する出力信号生成ステップと、
前記表示器の表示状態を検出した結果を示す情報を入力する検出情報入力ステップと、
前記検出情報入力ステップにより入力された検出情報で示される表示状態から、前記表示パラメータの候補値の妥当性を判定する判定ステップと、
前記判定ステップによる判定結果に応じて、妥当と判定された前記表示パラメータの候補値を通常動作時に用いるべき表示パラメータの値として不揮発記憶部に記憶させる制御ステップとを有し、
前記候補出力ステップは、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成ステップは、前記表示パラメータの調整後の通常動作時には、前記判定ステップにより妥当と判定され、前記不揮発記憶部に記憶された、前記通常動作時に用いるべき前記表示パラメータの値に応じて、映像信号を前記表示器に出力する
ことを特徴とする表示制御方法。
【発明の詳細な説明】
【技術分野】
【０００１】
本発明は、表示制御装置及び方法に関する。
本発明は特に、表示器に入力される画素クロックの周波数、表示器に入力される映像の解像度などの表示パラメータの調整を行い、調整後のパラメータを使用して、映像信号を表示器に供給する表示制御装置及び方法に関する。
【背景技術】
【０００２】
列車やバスなどの公共交通機関内に設置される情報表示システム、或いは駅、店舗などに設置されるデジタルサイネージシステムでは、映像を液晶パネルなどの表示器で正しく表示できるように、表示器に入力される映像信号の表示パラメータの調整が必要である。
様々な種類の表示器の中から、設置場所、表示内容に応じて、使用する表示器が選定されるため、表示パラメータとして固定の値を使用することはできず、選定された表示器で映像が正常に表示されるように、表示パラメータの調整を実施する必要がある。調整を実施した後の通常の動作時には、調整された表示パラメータを使用して、表示器での映像表示が行われる。
【０００３】
調整が必要な表示パラメータとしては、表示器に入力される画素クロック信号の周波数、表示器の水平画素数、表示器の垂直画素数、水平ブランキング期間、垂直ブランキング期間、表示器の入力データ形式、表示器の色深度などがある。従来、これらのパラメータの調整の際には、調整作業者が表示器のデータシートに記載された詳細な仕様を把握した上で、表示パラメータの検討を行い、更に、実際に表示器に映像を表示させながら、試行錯誤により表示パラメータの値の修正を繰り返し、表示器で映像が正常に表示されるパラメータを決定する必要があった。
【０００４】
特許文献１には、表示解像度とフレーム周波数の値とに基づいて画素クロックの周波数を決定し、決定された周波数の画素クロックがクロック発生回路から発生されるように可変周波数発振器を制御することで、指定された表示解像度に応じて画素クロック周波数を自動的に決定できるようにした表示制御装置が開示されている。この先行例では、表示器の解像度を指定すると、画素クロック周波数が自動的に決定されるため、調整作業者が表示器のデータシートを把握した上で画素クロック周波数を検討することが不要となる。
【先行技術文献】
【特許文献】
【０００５】
【特許文献１】特開平８−９５５３５号公報（段落００１４〜００１８、図２）
【発明の概要】
【発明が解決しようとする課題】
【０００６】
特許文献１では、表示器の解像度を指定することで、画素クロック周波数を自動的に決定するが、調整作業者が、表示器のデータシートから、解像度（水平画素数、垂直画素数）の情報を抽出する必要があった。また、映像を表示器で正しく表示するために必要となる水平ブランキング期間、垂直ブランキング期間、表示器の入力データ形式、表示器の色深度の調整については開示されていない。
【課題を解決するための手段】
【０００７】
本発明の一つの態様の表示制御装置は、
表示器の表示パラメータを記憶する不揮発記憶部と、
前記表示パラメータの調整の制御を行う制御部と、
前記制御部からの制御により、前記表示パラメータの候補値を出力する候補出力部と、
前記候補出力部から出力された前記表示パラメータの候補値に応じて、表示パラメータの調整用の調整画像を出力する調整画像出力部と、
前記候補出力部から出力された前記表示パラメータの候補値に応じて、前記調整画像出力部から出力された調整画像を前記表示器に出力する出力信号生成部と、
前記表示器の表示状態を検出する検出部と、
前記検出部により検出された表示状態から、前記表示パラメータの候補値が妥当か否かを判定する判定部とを備え、
前記制御部は、前記判定部による判定結果に応じて、妥当と判定された前記表示パラメータの候補値を通常動作時に用いるべき表示パラメータの値として前記不揮発記憶部に記憶させ、
前記候補出力部は、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成部は、前記表示パラメータの調整後の通常動作時には、前記判定部により妥当と判定され、前記不揮発記憶部に記憶された、前記通常動作時に用いるべき前記表示パラメータの値に応じて、映像信号を前記表示器に出力する
ことを特徴とする。
【０００８】
本発明の他の態様の表示制御装置は、
表示器の表示パラメータを記憶する不揮発記憶部と、
前記表示パラメータの調整の制御を行う制御部と、
前記制御部からの制御により、前記表示パラメータの候補値を出力する候補出力部と、
前記候補出力部から出力された前記表示パラメータの候補値に応じて、表示パラメータの調整用の調整画像を出力する調整画像出力部と、
前記候補出力部から出力された前記表示パラメータの候補値に応じて、前記調整画像出力部から出力された調整画像を前記表示器に出力する出力信号生成部と、
前記表示器の表示状態を検出した結果を示す情報を入力する検出情報入力部と、
前記検出情報入力部により入力された検出情報で示される表示状態から、前記表示パラメータの候補値の妥当性を判定する判定部とを備え、
前記制御部は、前記判定部による判定結果に応じて、妥当と判定された前記表示パラメータの候補値を通常動作時に用いるべき表示パラメータの値として前記不揮発記憶部に記憶させ、
前記候補出力部は、前記表示器に入力される画素クロック周波数、前記表示器の水平画素数、前記表示器の垂直画素数、前記水平ブランキング期間、前記垂直ブランキング期間、前記表示器の入力データ形式、及び前記表示器の色深度のうちの少なくとも一つについて、前記表示パラメータの候補値を変化させながら出力し、
前記出力信号生成部は、前記表示パラメータの調整後の通常動作時には、前記判定部により妥当と判定され、前記不揮発記憶部に記憶された、前記通常動作時に用いるべき前記表示パラメータの値に応じて、映像信号を前記表示器に出力する
ことを特徴とする。
【発明の効果】
【０００９】
本発明による表示制御装置では、候補出力部から、表示器に入力される画素クロック周波数、表示器の水平画素数、表示器の垂直画素数、水平ブランキング期間、垂直ブランキング期間、表示器の入力データ形式、表示器の色深度のうちの少なくとも一つについて、前記表示パラメータの候補値を変化させながら出力し、調整画像出力部が候補値に応じた調整画像を出力し、表示器に表示された映像から表示パラメータの候補値が妥当か否かを判断することとしているため、調整作業者が、表示器のデータシートから、解像度（水平画素数、垂直画素数、水平ブランキング期間、垂直ブランキング期間、表示器の入力データ形式、表示器の色深度などの情報を抽出しなくても良く、表示パラメータの調整を迅速に行うことができる。
【図面の簡単な説明】
【００１０】
【図１】本発明の実施の形態１の表示制御装置１００の構成を示すブロック図である。
【図２】表示パラメータ調整の手順の一例を示すフローチャートである。
【図３】表示パラメータ調整の手順の他の例を示すフローチャートである。
【図４】（ａ）及び（ｂ）は、画素クロック周波数の調整の方法の異なる例を示すタイミング図である。
【図５】（ａ）及び（ｂ）は、水平画素数の粗調整の方法の異なる例を示すタイミング図である。
【図６】（ａ）及び（ｂ）は、水平画素数の微調整の方法の異なる例を示すタイミング図である。
【図７】（ａ）及び（ｂ）は、水平ブランキング期間の調整の方法の異なる例を示すタイミング図である。
【図８】（ａ）〜（ｅ）は、表示パラメータ調整用の調整画像の例を示す図である。
【図９】（ａ）〜（ｄ）は、表示パラメータが妥当であるときに表示器に表示される映像を示す図、（ｅ）は、表示器の色深度が６ビットである場合に表示器に表示される映像を示す図である。
【図１０】（ａ）〜（ｈ）は、水平画素数の調整中に表示器に表示される映像を示す図である。
【図１１】（ａ）〜（ｈ）は、垂直画素数の調整中に表示器に表示される映像の様子を示す図である。
【図１２】（ａ）〜（ｈ）は、水平画素数の調整中に表示器に表示される映像を示す図である。
【図１３】（ａ）〜（ｈ）は、垂直画素数の調整中に表示器に表示される映像を示す図である。
【図１４】（ａ）〜（ｃ）は、表示制御装置１００の出力端子１１３から異なるデータ形式で出力される映像信号の例を示すタイミング図である。
【図１５】（ａ）及び（ｂ）は、表示制御装置１００の出力端子１１３から出力される映像信号の垂直ブランキング期間、水平ブランキング期間及びデータイネーブル信号を示す図である。
【図１６】本発明の実施の形態４の表示制御装置１００ｂの構成を示すブロック図である。
【発明を実施するための形態】
【００１１】
実施の形態１．
図１は、本発明の実施の形態１の表示制御装置１００を概略的に示すブロック図である。
図示の表示制御装置１００は、例えば、列車、バスなどの公共交通機関内に設置される情報表示システム、或いは駅、店舗などに設置されるデジタルサイネージシステムにおいて、映像を液晶パネルなどの表示器で表示させるための表示制御を行う。
表示制御装置１００は、制御部１０１、候補出力部１０２、調整画像出力部１０３、出力信号生成部１０４、検出部１０５、判定部１０６、不揮発記憶部１０７、選択部１０８、１０９、及び端子１１１、１１２、１１３を備える。
【００１２】
表示制御装置１００は、調整時には、表示制御装置１００に接続されている表示器１１０に入力される映像信号に関する表示パラメータの調整を行い、調整後の表示パラメータを不揮発記憶部１０７に格納し、通常動作時には、不揮発記憶部１０７に格納された調整後の表示パラメータを使用して、映像を表示器１１０で正常に表示させる。
【００１３】
表示パラメータ調整時の表示制御装置１００の動作の概要を以下に説明する。
表示パラメータ調整時には、制御部１０１は、表示パラメータの調整のための制御を行う。
調整される表示パラメータには、画素クロック周波数、水平画素数、垂直画素数、ブランキング期間、データ形式、色深度が含まれる。
調整画像は、調整されるべき表示パラメータの種別（項目）によって異なり、例えば図８（ａ）〜図１１（ｈ）に示すように特定のパターン、又は特定の色の領域を含む場合がある。
【００１４】
制御部１０１は、上記の複数の表示パラメータの種別ごとに順に調整を行うための制御を行う。各種別の調整のため、制御部１０１は調整されるべき表示パラメータの種別を指定する情報（種別情報）を候補出力部１０２へ出力する。
【００１５】
候補出力部１０２は、制御部１０１から入力される表示パラメータの種別情報に応じて、対応する表示パラメータの候補値を（示すデータ）を出力する。
【００１６】
調整画像出力部１０３は、制御部１０１から入力される表示パラメータの種別情報と候補出力部１０２から入力される表示パラメータの候補値に応じて、表示パラメータ調整用の調整画像を表すデータを出力する。調整画像としては、表示パラメータ調整を容易にする画像が使用される。
【００１７】
出力信号生成部１０４は、候補出力部１０２から入力される表示パラメータの候補値と調整画像出力部１０３から入力される表示パラメータ調整用の調整画像を表すデータを使用して、映像信号を生成し、出力端子１１３から出力して、表示器１１０に調整画像を表示させる。
【００１８】
表示制御装置１００に接続された表示器１１０は、表示制御装置１００から入力される映像信号に応じて調整画像の表示を行う。
検出部１０５は、表示器１１０の表示状況の検出を行い、検出情報を出力する。
【００１９】
判定部１０６は、検出部１０５から入力される検出情報に基づいて、候補出力部１０２から出力されている表示パラメータの候補値が妥当か否かの判定を行い、妥当と判定された表示パラメータの候補値を示す情報を制御部１０１に通知する。
【００２０】
制御部１０１は、判定部１０６から通知に基づいて、妥当と判定された表示パラメータの候補値を調整結果として保持する。
制御部１０１はまた、表示パラメータの種別情報を変更して、次の表示パラメータの調整を開始する。このようにして、各表示パラメータについて、順次調整を行う。
【００２１】
制御部１０１は、全ての表示パラメータについて、調整が完了したとき、調整後の表示パラメータの値を不揮発記憶部１０７に格納する。
代わりに、各表示パラメータが決定される度に、その決定した表示パラメータの値を不揮発記憶部１０７に書き込んでも良い。このようにすれば、一つの表示パラメータの調整が終わった時点で、表示パラメータの調整を中断して、後に調整を再開することが可能となる。
【００２２】
表示パラメータの調整が完了した後の通常動作時には、制御部１０１は、不揮発記憶部１０７から調整後の表示パラメータを出力させ、選択部１０９に不揮発記憶部１０７から入力される、調整後の表示パラメータを選択させ、選択部１０８に入力端子（映像信号入力端子）１１１から入力される通常映像データを選択させ、出力信号生成部１０４に、入力信号端子からの映像データと、不揮発記憶部１０７からの表示パラメータを用いて映像信号を生成させ、出力端子（映像信号出力端子）１１３から出力させ、表示器１１０に映像を表示させる。
【００２３】
通常動作時には、制御部１０１は、候補出力部１０２、調整画像出力部１０３、検出部１０５、判定部１０６の動作を停止させる。通常動作時にはまた、制御部１０１は、上記した不揮発記憶部１０７からの表示パラメータの読み出し、選択部１０８、１０９の制御、出力端子１１３からの出力に関する制御を行うが、それ以外の制御を停止している。
【００２４】
以下に、表示パラメータ調整時の映像制御装置１００の各部の動作を詳細に説明する。
表示パラメータ調整時には、制御部１０１は、候補出力部１０２、調整画像出力部１０３、出力信号生成部１０４、検出部１０５、判定部１０６、及び不揮発記憶部１０７を動作させ、選択部１０９に候補出力部１０２から出力される表示パラメータの候補値を選択させ、選択部１０８に調整画像出力部１０３から出力される調整画像（を表すデータ）を選択させる。
【００２５】
制御部１０１は、端子（フレームレート入力端子）１１２から入力されるフレームレートを受信した後、表示パラメータを種別乃至項目別に順次調整するように制御を行う。表示パラメータには、例えば、画素クロック周波数、水平画素数、垂直画素数、水平ブランキング期間、垂直ブランキング期間、データ形式、色深度が含まれる。水平画素数の調整は粗調整と微調整に分けて行われ、垂直画素数の調整も同様に粗調整と微調整に分けて行われる。
【００２６】
表示パラメータの種別毎の順次調整は例えば図２のフローチャートに示される手順で行われる。
図２に示した例では、最初に、フレームレート受信処理により、表示器１１０における表示のフレームレート（１秒当たりのフレーム数）を取得する（Ｓ１１）。
その後、表示パラメータの調整が、画素クロック周波数の調整（Ｓ１２）、水平画素数の粗調整（Ｓ１３）、垂直画素数の粗調整（Ｓ１４）、水平画素数の詳細調整乃至微調整（Ｓ１５）、垂直画素数の詳細調整乃至微調整（Ｓ１６）、ブランキング期間調整（Ｓ１７）、データ形式調整（Ｓ１８）、色深度調整（Ｓ１９）の順に行われる。全ての表示パラメータの調整が完了したら、調整後の表示パラメータの値を不揮発記憶部１０７に格納する（Ｓ２０）。
【００２７】
制御部１０１は、制御の際に、調整する表示パラメータを示す情報として、例えば、画素クロック周波数、水平画素数（粗調整）、垂直画素数（粗調整）、水平画素数（微調整）、垂直画素数（微調整）、ブランキング期間、データ形式、色深度などの表示パラメータのうち、調整すべき表示パラメータを指定する種別情報を出力する。同時に全ての表示パラメータを調整することは困難であるが、表示パラメータの種別情報により、一つずつ表示パラメータを調整することにより、調整が容易となる。
【００２８】
図２に示した例では、水平画素数及び垂直画素数の双方について粗調整した後、水平画素数及び垂直画素数の微調整を実施しているが、図３に示すように、水平画素数の粗調整（Ｓ１３）の次に、水平画素数の微調整（Ｓ１５）を行い、その後、垂直画素数の粗調整（Ｓ１４）、垂直画素数の微調整（Ｓ１６）という順で調整を実施しても良い。
【００２９】
次に候補出力部１０２について説明する。
候補出力部１０２は、画素クロック周波数、水平画素数（粗調整）、垂直画素数（粗調整）、水平画素数（微調整）、垂直画素数（微調整）、水平ブランキング期間、垂直ブランキング期間、データ形式、色深度などの表示パラメータの候補値を出力する。
候補出力部１０２は、制御部１０１から入力される表示パラメータの種別情報に対応した表示パラメータをその値を変化させながら、候補値として出力する。各表示パラメータの候補値の調整の際、すでに調整が済んでいる別の表示パラメータとしては、調整後の値が出力される。まだ調整が済んでいない表示パラメータとしては、予め定められた初期値が出力される。
【００３０】
制御部１０１から入力される表示パラメータの種別情報が、「画素クロック周波数」を指定しているとき、即ち画素クロック周波数の調整（Ｓ１２）が行われるときは、候補出力部１０２は、表示パラメータの候補値として、画素クロック周波数の値を変化させながら、該値を候補値として出力する。図４（ａ）及び（ｂ）は、画素クロック周波数の値を変化させる方法の異なる例を示す。図４（ａ）の例では、画素クロック周波数を、例えば４０ＭＨｚから８０ＭＨｚまでの範囲において、例えば１０秒間で増加させることを繰り返している。図４（ｂ）の例では、画素クロック周波数を、例えば４０ＭＨｚから８０ＭＨｚまでの範囲において、例えば１０秒間で増加させた後、同周波数範囲を例えば１０秒間で減少させることを繰り返している。これによって、画素クロック周波数が、表示器１１０にとって表示不可能な範囲の値の時は、映像が表示されない状態となり、画素クロック周波数が、表示器１１０にとって表示可能な範囲の値の時は、映像が表示される状態となる。
【００３１】
制御部１０１から入力される表示パラメータの種別情報が、「水平画素数（粗調整）」を指定しているとき、即ち、水平画素数の粗調整（Ｓ１３）が行われるときは、候補出力部１０２は、水平画素数を粗く変化させながら、候補値として出力する。図５（ａ）及び（ｂ）は、水平画素数を粗く変化させる方法の異なる例を示す。図５（ａ）の例では、例えば水平画素数を、３００画素から２０００画素までの範囲において、５０画素ずつ増やしていくことを繰り返している。図５（ｂ）の例では、例えば水平画素数を３００画素から２０００画素までの範囲において、５０画素ずつ増やした後、同水平画素数範囲を５０画素ずつ減らしてくことを繰り返している。これによって、表示器１１０で表示される映像の水平方向の範囲が粗く変化していく。
【００３２】
制御部１０１から入力される表示パラメータの種別情報が、「垂直画素数（粗調整）」を指定しているとき、即ち、垂直画素数の粗調整（Ｓ１４）が行われるときは、候補出力部１０２は、水平画素数の粗調整（Ｓ１３）のときと同様に、垂直画素数を、例えば１００画素から１２００画素の範囲で変化させながら、候補値として出力する。これによって、表示器１１０で表示される映像の垂直方向の範囲が粗く変化していく。
【００３３】
制御部１０１から入力される表示パラメータの種別情報が、「水平画素数（微調整）」を指定しているとき、即ち、水平画素数の微調整（Ｓ１５）が行われるときは、候補出力部１０２は、水平画素数を細かく変化させながら、候補値として出力する。
水平画素数の微調整のときは、水平画素数の粗調整のときに比べて、候補値の変化する範囲が狭く、変化がより小刻みに或いはより緩やかに行われる。
【００３４】
図６(ａ)及び（ｂ）は水平画素数を細かく変化させる方法の異なる例を示す。
水平画素数の微調整は、水平画素数の粗調整後の水平画素数を中心とする範囲内で、水平画素数を変化させながら行われる。
図示の例では、水平画素数の粗調整（Ｓ１３）の結果、水平画素数が例えば、１２５０画素に調整されていることを想定し、該調整された値（１２５０画素）を中心とする予め定められた範囲、例えば、図６（ａ）及び（ｂ）に示すように、１２００画素から１３００画素までの範囲で水平画素数を変化させる。
【００３５】
図６（ａ）の例では、水平画素数を１２００画素から１３００画素までの範囲で１画素ずつ増やしていくことを繰り返している。図６（ｂ）の例では、水平画素数を１２００画素から１３００画素までの範囲で１画素ずつ増やした後、同水平画素数範囲を１画素ずつ減らしていくことを繰り返している。これによって、表示器１１０で表示される映像の水平方向の範囲が細かく変化していく。
【００３６】
制御部１０１から入力される表示パラメータの種別情報が、「垂直画素数（微調整）」を指定しているとき、即ち、垂直画素数の微調整（Ｓ１６）が行われるときは、候補出力部１０２は、水平画素数の微調整（Ｓ１４）のときと同様に、垂直画素数を変化させながら、候補値として出力する。これによって、表示器１１０で表示される映像の垂直方向の範囲が細かく変化していく。
垂直画素数の微調整のときは、垂直画素数の粗調整のときに比べて、候補値の変化する範囲が狭く、変化がより小刻みに或いはより緩やかに行われる。
【００３７】
制御部１０１から入力される表示パラメータの種別情報が、「ブランキング期間」を指定しているとき、即ち、ブランキング期間の調整（Ｓ１７）が行われるときは、候補出力部１０２は、水平ブランキング期間を変化させながら、候補値として出力する。図７（ａ）及び（ｂ）は水平ブランキング期間を変化させる方法の異なる例を示す。図７（ａ）の例では、例えば水平ブランキング期間を１クロックから１００クロックまでの範囲で１ずつ増やしていくことを繰り返している。図７（ｂ）の例では、水平ブランキング期間を１クロックから１００クロックまでの範囲で１クロックずつ増やした後、同水平ブランキング期間の範囲を１クロックずつ減らしていくことを繰り返している。
【００３８】
垂直ブランキング期間の値は、他の表示パラメータの値が決まると、それによって決まる。例えば、フレームレートをｆｖ［Ｈｚ］、画素クロック周波数をｆｃｌｋ［Ｈｚ］、水平画素数をｈｓ、垂直画素数をｖｓ、水平ブランキング期間をｈｂクロックとすると、垂直ブランキング期間を表すクロック数ｖｂは、
ｆｃｌｋ＝（ｈｓ＋ｈｂ）×（ｖｓ＋ｖｂ）×ｆｖ    …（１Ａ）
従って、
ｖｂ＝ｆｃｌｋ／｛（ｈｓ＋ｈｂ）×ｆｖ）−ｖｓ｝    …（１Ｂ）
の関係から決まる。
【００３９】
なお、上記のように、調整によって水平ブランキング期間を決定することで、これに伴って垂直ブランキング期間を定める代わりに、調整によって垂直ブランキング期間を決定することで、これに伴って水平ブランキング期間を定めることとしても良い。
【００４０】
制御部１０１から入力される表示パラメータの種別情報が、「データ形式」を指定しているとき、即ち、データ形式の調整（Ｓ１８）が行われるときは、候補出力部１０２は、データ形式を変化させながら、データ形式の候補値として（データ形式を示すデータを）出力する。
表示器１１０が液晶パネルで、ＬＶＤＳ（Ｌｏｗ  ｖｏｌｔａｇｅ  ｄｉｆｆｅｒｅｎｔｉａｌ  ｓｉｇｎａｌｉｎｇ）規格の信号線で、表示制御装置１００と表示器１１０が接続される場合、データ形式の例としては、例えば、ＳＰＷＧ（Ｓｔａｎｄａｒｄ  Ｐａｎｅｌｓ  Ｗｏｒｋｉｎｇ  Ｇｒｏｕｐ）規格の形式、ＯｐｅｎＬＤＩ（ｏｐｅｎ  ＬＶＤＳ  Ｄｉｓｐｌａｙ  Ｉｎｔｅｒｆａｃｅ）規格の形式があげられる。
【００４１】
制御部１０１から出力される表示パラメータの種別情報が、「色深度」を指定しているとき、即ち、色深度の調整（Ｓ１９）が行われるときは、候補出力部１０２は、色深度を変化させながら、候補値として出力する。表示器１１０が液晶パネルで、ＬＶＤＳ規格の信号線で、表示制御装置１００と表示器１１０が接続される場合、色深度の例としては、例えば６ビットと８ビットがあげられる。
【００４２】
次に調整画像出力部１０３について説明する。
調整画像出力部１０３は、制御部１０１から出力される表示パラメータの種別情報と、候補出力部１０２から出力される表示パラメータの候補値に応じて、表示パラメータ調整用の調整画像を出力する。
画素クロック周波数の調整（Ｓ１２）が行われるときは、調整画像出力部１０３は、例えば図８（ａ）に示される、均一なパターンの画像、或いは均一な色で塗りつぶされた画像を出力する。
出力する水平画素数、垂直画素数は、例えば３２０画素×２４０画素など小さめのサイズとしておく。この小さめのサイズの画像で占められる範囲は、例えば、図９（ａ）において点線枠２０１で示す如くである。
【００４３】
画素クロック周波数が適切な値であるときは、図９（ａ）のように、表示器１１０の全体に、調整画像出力部１０３からの画像が表示される。即ち、出力信号生成部１０４から出力する画像のサイズが図９（ａ）の点線枠２０１で示したサイズで、表示器１１０より小さい場合、出力画像の各ラインの右端よりも右に位置する画素は、右端の画素と同じ値となり、出力画像の下端よりも下に位置する画素は、最も下のラインの右端の画素と同じ値となる。一方、画素クロック周波数が妥当でないときは、表示器の表示画面には何も表示されない（画面全体が真っ黒（最も輝度の低い状態）になる）。従って、図９（ａ）に示す画像が表示されるときの画素クロック周波数の候補値を、適切な値（調整された画素クロック周波数）として採用すれば良い。
【００４４】
水平画素数の粗調整（Ｓ１３）、水平画素数の微調整（Ｓ１４）、垂直画素数の粗調整（Ｓ１５）、或いは垂直画素数の微調整（Ｓ１６）が行われるときは、調整画像出力部１０３は、例えば、図８（ｂ）に示される、画像領域（通常動作時に画像を表示することとなる領域）Ｍｐを黒色（図ではクロスハッチングで示す。以下同様。）で塗りつぶし、該画像領域Ｍｐの右端及び下端（右側の境界及び下側の境界）ＭｐＲ、ＭｐＢを示す領域(右側の領域Ｒｓ及び下側の領域)Ｂｓを有する画像を出力する。
図８（ｂ）の例では、右側の領域Ｒｓと下側の領域Ｂｓを区別するために、互いに異なるパターン、あるいは異なる色としている。画像領域Ｍｐの水平サイズ、従って、右側の領域Ｒｓの幅は、図１０（ａ）〜（ｈ）に示すように、候補出力部１０２から出力される水平画素数の変化に伴って変わる。同様に、画像領域Ｍｐの垂直サイズ、従って、下側の領域Ｂｓの幅は、図１１（ａ）〜（ｈ）に示すように、候補出力部１０２から出力される垂直画素数の変化に伴って変わる。
【００４５】
水平画素数の粗調整（Ｓ１３）が行われるときは、候補出力部１０２から出力される水平画素数が粗く変化するので、表示器１１０の表示画像が図１０（ａ）〜（ｄ）に示されるように変化する。
【００４６】
垂直画素数の粗調整（Ｓ１４）が行われるときは、候補出力部１０２から出力される垂直画素数が粗く変化するので、表示器１１０の表示画像が図１１（ａ）〜（ｄ）に示されるように変化する。図１１（ａ）〜（ｄ）では水平画素数の粗調整が終わり、水平画素数が表示器１１０の表示サイズに近いが完全には一致していない状態（そのため、右側の領域Ｒｓが残っている）で、垂直画素数の粗調整を行う場合を示す。
【００４７】
水平画素数の微調整（Ｓ１５）は、粗調整後の水平画素数を初期値として開始される。水平画素数の微調整が行われるときは、候補出力部１０２から出力される水平画素数が細かく変化するので、表示器１１０の表示画像が図１０（ｅ）〜（ｈ）のように変化する。
【００４８】
垂直画素数の微調整（Ｓ１６）は、粗調整後の垂直画素数を初期値として開始される。垂直画素数の微調整が行われるときは、候補出力部１０２から出力される垂直画素数が細かく変化するので、表示器１１０の表示画像が図１１（ｅ）〜（ｈ）のように変化する。
【００４９】
候補出力部１０２が出力する水平画素数が妥当な値（表示器１１０のサイズに一致する値）以上のとき、画像領域Ｍｐの水平方向寸法が表示画面の水平方向寸法以上となり、右側の領域Ｒｓは表示されなくなる（図１０（ｄ）、図１０（ｈ））。
候補出力部１０２が出力する垂直画素数が妥当な値（表示器１１０のサイズに一致する値）以上のとき、画像領域Ｍｐの垂直方向寸法が表示画面の垂直方向寸法以上となり、下側の領域Ｂｓは表示されなくなる（図１１（ｄ）、図１１（ｈ））。
水平画素数及び垂直画素数がともに、妥当な値以上のときは、右側の領域Ｒｓ及び下側の領域がともに表示されなくなる（図９（ｂ）、図１１（ｈ））。
【００５０】
このように、候補出力部１０２が出力する水平画素数が表示器１１０のサイズ以上のときに、右側の領域Ｒｓが表示されなくなることを利用して、水平画素数の調整を行うことができる。
同様に、候補出力部１０２が出力する垂直画素数が表示器１１０のサイズ以上のときに、下側の領域Ｂｓが表示されなくなることを利用して、垂直画素数の調整を行うことができる。
【００５１】
なお、水平画素数の粗調整或いは微調整を行う場合、図８（ｂ）の調整画像に代えて、図８（ｃ）に示される調整画像（下側の領域Ｂｓを含まず、右側の領域Ｒｓを含む）を調整画像出力部１０３から出力しても良い。
この場合、水平画素数の変化に伴う表示画像の変化は図１２（ａ）〜（ｈ）に示す如くである。
【００５２】
同様に、垂直画素数の粗調整或いは微調整を行う場合、図８（ｂ）の調整画像に代えて、図８（ｄ）に示される調整画像（図８（ｂ）の右側の領域Ｒｓを含まず、下側の領域Ｂｓを含む）を調整画像出力部１０３から出力しても良い。
この場合、垂直画素数の変化に伴う表示画像の変化は図１３（ａ）〜（ｈ）に示す如くである。
【００５３】
ブランキング期間の調整（Ｓ１７）が行われるときは、調整画像出力部１０３は、例えば図８（ｅ）に示される、中央に位置する領域Ｍｑを黒色（図ではクロスハッチングで示す）で塗りつぶし、該中央の領域Ｍｑの左側及び右側に隣接する領域（左端の領域及び右端の領域）Ｌｅ、Ｒｅを有する画像を出力する。図８（ｅ）の例では、左端の領域Ｌｅと右端の領域Ｒｅを区別するために、異なるパターンあるいは異なる色としている。左端の領域Ｌｅ及び右端の領域Ｒｅは、それぞれ中央の領域Ｍｑの左端及び右端（左側の境界及び右側の境界）ＭｑＬ、ＭｑＲを示す。
【００５４】
ブランキング期間が正常な範囲にあるとき、図９（ｃ）のように、左端と右端の両方の境界ＭｐＬ、ＭｐＲが、表示器１１０に表示された状態、即ち、左端の領域Ｌｅ及び右端の領域Ｒｅがある幅で表示された状態となる。
【００５５】
データ形式の調整（Ｓ１８）が行われるときは、調整画像出力部１０３は、例えば、全画素について、Ｒ＝Ｇ＝Ｂ＝Ｆ０ｈである画像を、調整画像として出力する。ここで、調整画像のＲ、Ｇ、Ｂの成分値が８ビットのデータで表される場合を想定しており、Ｆ０ｈは、１０進数の２４０を表す。候補出力部１０２から出力されるデータ形式と表示器１１０のデータ形式が一致しているときは、データのビット位置が入れ替わることなく正しくデータを渡せるため、表示器１１０の表示映像が図９（ｄ）に示すように全面白色に近くなる（輝度がある閾値以上となる）。データ形式が一致していないときは、正しくデータが渡せずデータ位置が入れ替わるため、例えばＲ＝Ｇ＝Ｂ＝Ｃ３ｈ（Ｃ３ｈは、１０進数の１９５を表す）で表示している状態となり、表示器１１０の表示映像が全面黒色に近くなる。この違いを検出することにより、データ形式の調整が可能となる。
【００５６】
色深度の調整（Ｓ１９）が行われるときは、調整画像出力部１０３は、例えば、８ビットでのグラデーション画像と６ビットでのグラデーション画像を交互に、即ちある周期で切り替えながら出力する。このようにした場合、表示器１１０の色深度が８ビットであれば、表示器１１０に表示される映像に、画像のビット数の切り替わりに伴う周期的な変化が生じる。一方、表示器１１０の色深度が６ビットであれば、表示器１１０に表示される映像に上記のような変化は生じない。そこで、表示器１１０に表示される映像の変化の有無に基づいて、表示器１１０の色深度を判定することができる。
また、表示器１１０の色深度が８ビットである場合に比べ、色深度が６ビットである場合、階調数が０〜６３と少ないため、表示器１１０に入力される画像データのビット数が８であっても６であっても、図９（ｅ）に示すように擬似輪郭ＦＣ１〜ＦＣ５が発生する傾向があり、これを検出することでも、色深度の判定が可能となる。
【００５７】
次に出力信号生成部１０４について説明する。
上記のように、表示パラメータの調整時には、候補出力部１０２からの表示パラメータの候補値（を示すデータ）が選択部１０９で選択されて出力信号生成部１０４に入力され、調整画像出力部１０３からの調整画像（を表すデータ）が選択部１０８で選択され出力信号生成部１０４に入力される。
【００５８】
出力信号生成部１０４は、候補出力部１０２からの表示パラメータの候補値と調整画像出力部１０３からの調整画像を使用して、映像信号を生成し、出力端子１１３から出力して、表示器１１０に調整画像を表示させる。映像信号と表示パラメータの候補値の関連を以下に示す。
【００５９】
図１４（ａ）〜（ｃ）は、出力信号生成部１０４から、異なるデータ形式で出力される映像信号の異なる例を示す。
図１４（ａ）の例は、クロック信号線１本とデータ信号線３本により出力される、色深度がＲＧＢ各６ビットのデータ形式の映像信号である。ＲＧＢ各６ビットのデータは３本のデータ信号線によりデータ０、データ１、データ２に示す形式で出力される。図１４（ａ）において、「クロック」は、候補出力部１０２から候補値として出力されている画素クロック周波数のクロック信号である。ＤＥは、データイネーブルを示し、各画素について、その映像データが表示対象であるかどうかを示すための情報である。
【００６０】
データ形式が図１４（ａ）に示すものである場合、表示制御装置１００の入力端子１１１から入力される映像データの各画素が、例えばＲＧＢ各８ビットのデータＲ７〜Ｒ０、Ｇ７〜Ｇ０、Ｂ７〜Ｂ０で表されるものであっても、出力端子１１３からはＲＧＢ各６ビットのデータが出力される。
【００６１】
図１４（ｂ）及び図１４（ｃ）は色深度がＲＧＢ各８ビットの、異なる例を示す。
図１４（ｂ）及び図１４（ｃ）のいずれでも、ＲＧＢ各８ビットの映像データが４本の信号線で、データ０、データ１、データ２、データ３に示す形式で出力される。
図１４（ｂ）と図１４（ｃ）とでは各信号線に対するデータの割り当てが異なる。
【００６２】
表示制御装置１００から出力される映像データのデータ形式及び色深度はそれぞれ、候補出力部１０２から出力される、データ形式を示す候補値及び色深度を示す候補値によって定められる。
【００６３】
例えば、表示制御装置１００が、図１４（ｂ）の形式で、Ｇ７〜Ｇ０＝Ｆ０ｈを表すデータを出力したとき、表示器１１０側のデータ形式も図１４（ｂ）である場合（データ形式が一致している場合）、表示制御装置１００から出力されたデータを構成するビットＧ７、Ｇ６、Ｇ５、Ｇ４、Ｇ３、Ｇ２、Ｇ１、Ｇ０が、表示器１１０において、それぞれビットＧ７、Ｇ６、Ｇ５、Ｇ４、Ｇ３、Ｇ２、Ｇ１、Ｇ０として取り扱われるため、正常に表示される。
【００６４】
一方、表示制御装置１００が、図１４（ｂ）の形式で、Ｇ７〜Ｇ０＝Ｆ０ｈを表すデータを出力したとき、表示器１１０側のデータ形式も図１４（ｃ）である場合（データ形式が一致していない場合）、表示制御装置１００から出力されたデータを構成するビットＧ７、Ｇ６、Ｇ５、Ｇ４、Ｇ３、Ｇ２、Ｇ１、Ｇ０が、表示器１１０において、それぞれビットＧ５、Ｇ４、Ｇ３、Ｇ２、Ｇ１、Ｇ０、Ｇ７、Ｇ６として取り扱われるため、Ｆ０ｈを表すデータが、Ｃ３ｈを表すものとして扱われることになる。
【００６５】
図１５（ａ）及び（ｂ）は、出力信号生成部１０４から出力される映像信号の垂直ブランキング期間、水平ブランキング期間及びデータイネーブル信号ＤＥを示す。
図示のように、垂直ブランキング期間及び水平ブランキングにおいては、ＤＥ＝Ｌとなっており、それ以外の期間においては、ＤＥ＝Ｈとなっており、ＤＥ＝Ｈとなっている期間中に、画素の表示が行われる。
【００６６】
候補出力部１０２から出力される、垂直画素数の候補値により、図１５（ａ）の「１ライン×垂直画素数」の期間が決まる。この期間は、表示器１１０で表示されるライン数に対応している。
候補出力部１０２から出力される、水平画素数の候補値により、図１５（ｂ）の「１クロック×水平画素数」の期間が決まる。この期間は、表示器１１０で表示され１ラインの画素数に対応している。
図１５（ｂ）の水平ブランキング期間は、候補出力部１０２から出力される水平ブランキング期間の候補値によって決まる。
図１５（ａ）の垂直ブランキング期間は、上記のように、水平ブランキング期間など他の表示パラメータの候補値が決まれば、それにともない、上記の式（１Ａ）又は（１Ｂ）による計算で決まる。
【００６７】
次に検出部１０５について説明する。
検出部１０５は、表示器１１０での表示状況の検出を行い、検出情報を出力する。
例えば、検出部１０５は、撮像部を備え、表示器１１０に表示された映像を撮像し、撮像により得た撮像データを検出情報として出力する。ここで撮像部により得る撮像データは、動画データを想定しているが、候補出力部１０２から出力される表示パラメータの変化の速度が遅い場合は、比較的長い時間間隔で撮像した複数の静止画データを用いても良い。
【００６８】
次に判定部１０６について説明する。
判定部１０６は、制御部１０１から出力される表示パラメータの種別情報、候補出力部１０２から出力される表示パラメータの候補値、及び検出部１０５から出力される検出情報に基づいて、候補出力部１０２から出力されている表示パラメータの候補値が妥当であるかどうかの判定を行い、妥当であると判定した表示パラメータの候補値を制御部１０１に通知する。
【００６９】
検出部１０５が撮像部を備え、表示器１１０に表示される映像を撮像部により撮像して撮像データを検出情報として出力する場合、判定部１０６は、撮像データに基づいて表示パラメータの候補値が妥当であるか否かの判定を行う。撮像データを利用することで正確に表示パラメータの調整を行うことができる。この場合の判定部１０６の動作を以下に示す。
【００７０】
上記のように、画素クロック周波数の調整（Ｓ１２）が行われるときは、調整画像出力部１０３は、図８（ａ）に示される調整画像を出力する。
そのとき、判定部１０６は、検出部１０５からの撮像データに基づいて、候補出力部１０２から候補値として入力されている画素クロック周波数が妥当であるか否かを判定して、妥当と判定された画素クロック周波数を制御部１０１に通知する。
【００７１】
候補出力部１０２から出力される画素クロック周波数が妥当な値である場合、表示器１１０には、調整画像出力部１０３から出力されている画像が、図９（ａ）に示すように、表示されるが、画素クロック周波数が妥当でない場合、表示器１１０には何も表示されない。そこで、例えば、表示器１１０が何も表示していない状態（表示画面全体が黒の状態）であるか、調整画像出力部１０３からの調整画像が表示されている状態であるかを、判定部１０６が撮像データに基づいて判定する。
そして、調整画像を表示している状態であると判定したときは、そのとき候補出力部１０２から出力されている画素クロック周波数の候補値（「表示画面に調整画像が表示されている状態」を生じさせた画素クロック周波数の候補値）を、妥当な画素クロック周波数として制御部１０１に通知する。
【００７２】
例えば、画素クロック周波数を次第に増加させながら、調整画像が表示器１１０に表示されない状態から表示される状態に切り替わったことが撮像データから確認されたときに、そのときの画素クロック周波数を妥当な値と判断する。
このように、候補出力部１０２から出力する画素クロック周波数を増加させながら調整を行うこととすれば、表示器１１０に適した最小の画素クロック周波数を得られ、表示制御装置の消費電力を低く抑えることができるという効果が得られる。
【００７３】
水平画素数の粗調整又は微調整（Ｓ１３、Ｓ１５）が行われるときは、調整画像出力部１０３が図８（ｂ）に示される調整画像を出力している状態で、判定部１０６が、検出部１０５からの撮像データに基づいて、候補値としての水平画素数が妥当か否かを判定して、妥当と判定された水平画素数を制御部１０１に通知する。
【００７４】
例えば、水平画素数を次第に増加すると、表示器１１０に表示される映像が図１０（ａ）〜（ｄ））または図１０（ｅ）〜（ｈ）のように変化するが、図１０（ａ）〜（ｃ）又は図１０（ｅ）〜（ｇ）の状態、即ち領域Ｒｓが表示画像に含まれている状態から、図１０（ｄ）又は図１０（ｈ）の状態、即ち領域Ｒｓが表示画像に含まれていない状態に切り替わったことを判定部１０６が撮像データに基づいて検出して、そのときの水平画素数の候補値が妥当であると判定し、当該水平画素数の候補値を制御部１０１に通知する。
【００７５】
逆に、水平画素数を次第に減少していく場合には、表示器１１０に表示される映像が、図１０（ｄ）または図１０（ｈ）の状態、即ち領域Ｒｓが含まれない状態から、図１０（ｄ）又は図１０（ｈ）以外の状態（図１０（ａ）〜（ｃ）、図１０（ｅ）〜（ｇ）の状態）、即ち領域Ｒｓが含まれる状態に切り替わったときに、そのことを判定部１０６が撮像データに基づいて検出し、切り替わりの直前に使用された水平画素数の候補値が妥当な値であると判定し、当該水平画素数の候補値を制御部１０１に通知する。
【００７６】
なお、水平画素数の粗調整或いは微調整を行う場合に、図８（ｂ）の調整画像の代わりに図８（ｃ）に示される調整画像を用いる場合には、表示器１１０に表示される映像が、図１２（ｄ）または図１２（ｈ）の状態、即ち領域Ｒｓが含まれない状態と、図１２（ａ）〜（ｃ）又は図１２（ｅ）〜（ｇ）の状態、即ち領域Ｒｓが含まれる状態との一方から他方に切り替わったときに、そのことを判定部１０６が撮像データに基づいて検出する。
【００７７】
垂直画素数の粗調整又は微調整（Ｓ１４、Ｓ１６）が行われるときは、調整画像出力部１０３が図８（ｂ）に示される調整画像を出力している状態で、判定部１０６が、検出部１０５からの撮像データに基づいて、候補値として出力されている垂直画素数が妥当か否かを判定して、妥当と判定された垂直画素数を制御部１０１に通知する。
【００７８】
例えば、垂直画素数を次第に増加すると、表示器１１０に表示される映像が、図１１（ａ）〜（ｄ）または図１１（ｅ）〜（ｈ）のように変化するが、図１１（ａ）〜（ｃ）又は図１１（ｅ）〜（ｇ）の状態、即ち領域Ｂｓが表示画像に含まれている状態から、図１１（ｄ）又は図１１（ｈ）の状態、即ち領域Ｂｓが表示画像に含まれていない状態に切り替わったことを判定部１０６が撮像データに基づいて検出して、そのときの垂直画素数の候補値が妥当であると判定し、当該垂直画素数の候補値を制御部１０１に通知する。
【００７９】
逆に、垂直画素数を次第に減少していく場合には、表示器１１０に表示される映像が、図１１（ｄ）または図１１（ｈ）の状態、即ち領域Ｂｓが含まれない状態から、図１１（ｄ）又は図１１（ｈ）以外の状態（図１１（ａ）〜（ｃ）、図１１（ｅ）〜（ｇ）の状態）、即ち領域Ｂｓが含まれる状態に切り替わったときに、そのことを判定部１０６が撮像データに基づいて検出し、切り替わりの直前に使用された垂直画素数の候補値が妥当な値であると判定し、当該垂直画素数の候補値を制御部１０１に通知する。
【００８０】
なお、垂直画素数の粗調整或いは微調整を行う場合に、図８（ｂ）の調整画像の代わりに図８（ｄ）に示される調整画像を用いる場合には、表示器１１０に表示される映像が、図１３（ｄ）または図１３（ｈ）の状態、即ち領域Ｂｓが含まれない状態と、図１３（ａ）〜（ｃ）又は図１３（ｅ）〜（ｇ）の状態、即ち領域Ｂｓが含まれる状態との一方から他方に切り替わったときに、そのことを判定部１０６が撮像データに基づいて検出する。
【００８１】
ブランキング期間の調整（Ｓ１７）が行われるときは、調整画像出力部１０３が、図８（ｅ）に示される画像を出力している状態で、判定部１０６が、検出部１０５からの撮像データに基づいて、表示器１１０において、水平ブランキング期間の調整画像が正しく表示される範囲（水平ブランキング期間の範囲）を判定し、当該範囲の中央値を最適な水平ブランキング期間と決定し、決定した水平ブランキング期間を制御部１０１に通知する。
【００８２】
例えば、候補出力部１０２が候補値としての水平ブランキング期間を変化させながら出力しているときに、判定部１０６は、水平ブランキング期間の各候補値について調整画像が正しく表示されるか否かを撮像データに基づいて判定し、該調整画像が正しく表示される水平ブランキング期間の範囲を判定する。
【００８３】
例えば、判定部１０６は、図９（ｃ）のように、左右の端部の領域Ｌｅ、Ｒｅの幅が予め定められた範囲内の値を有する場合には、調整画像が正しく表示されていると判定し、それ以外の場合には、調整画像が正しく表示されていないと判定する。
【００８４】
例えば、候補出力部１０２が水平ブランキング期間の候補値を次第に長くしていき、その結果調整画像が正しく表示されない状態から正しく表示される状態に切り替わったときに、判定部１０６は、そのときの水平ブランキングの候補値を上記水平ブランキング期間の調整画像が正しく表示される範囲の下限と判断する。
【００８５】
候補出力部１０２が水平ブランキング期間の候補値をさらに長くしていき、その結果調整画像が正しく表示される状態から正しく表示されない状態に切り替わったときに、判定部１０６は、当該切り替わりの直前に使用された候補値を、上記水平ブランキング期間の調整画像が正しく表示される範囲の上限と判断する。
【００８６】
そして、上記の調整画像が正しく表示される範囲の代表値、例えば中央値をブランキング期間の最適値と決定する。
そして、このように決定された最適値を、妥当なブランキング期間の値として制御部１０１に通知する。
【００８７】
データ形式の調整（Ｓ１８）が行われるときは、調整画像出力部１０３が、全画素について、Ｒ＝Ｇ＝Ｂ＝Ｆ０ｈとなる画像を、調整画像として出力している状態で、判定部１０６が、検出部１０５からの撮像データに基づいて、データ形式が妥当か否かを判定し、妥当と判定されたデータ形式を制御部１０１に通知する。
【００８８】
例えば、表示器１１０に表示される表示画像が図９（ｄ）に示すように全面白色に近いことが撮像データから確認できたとき、判定部１０６は、候補出力部１０２から出力されているデータ形式と表示器１１０のデータ形式が一致していると判断して、そのとき、候補出力部１０２から出力されているデータ方式を妥当なデータ形式として制御部１０１に通知する。撮像データによる上記の確認においては、例えば撮像データの全体的な明るさ（画面全体の平均輝度）が予め定められた値以上であれば、表示画像が全面白色に近いと判断される。
【００８９】
色深度の調整（Ｓ１９）が行われるときは、調整画像出力部１０３が８ビットでのグラデーション画像と６ビットでのグラデーション画像を交互に、即ちある周期で切り替えながら出力している状態で、判定部１０６が、検出部１０５からの撮像データに基づいて、色深度を判定して、判定した色深度を制御部１０１に通知する。
【００９０】
例えば、表示器１１０に表示される映像に周期的な変化があれば、判定部１０６は、色深度は８ビットであると判断する。そのような変化が無ければ、判定部１０６は、色深度は６ビットであると判断する。
【００９１】
判定部１０６はまた、図９（ｅ）に示されるような擬似輪郭ＦＣ１〜ＦＣ５が発生するか否かを、撮像データに基づいて判定し、これによって表示器１１０の色深度の判定を行っても良い。
【００９２】
判定部１０６はこのような判断の結果に基づいて妥当な色深度を判定し、制御部１０１に通知する。
【００９３】
制御部１０１は、判定部１０６からの通知に応じ、判定部１０６で妥当と判定された表示パラメータの値を、調整結果として、即ち表示器１１０に適した表示パラメータの値として保持する。
【００９４】
画素クロック周波数の調整（Ｓ１２）が行われるときは、判定部１０６から通知された、妥当な画素クロック周波数の値を、調整結果として、即ち表示器１１０に適した画素クロック周波数として保持する。
【００９５】
水平画素数の粗調整（Ｓ１３）が行われるときは、判定部１０６により妥当と判定された水平画素数の候補値を、水平画素数の粗調整の結果として採用し、保持する。
水平画素数の微調整（Ｓ１５）が行われるときも上記と同様に、判定部１０６により妥当と判定された水平画素数の候補値を、水平画素数の微調整の結果として採用し、保持する。微調整の結果が得られたら、粗調整の結果は破棄しても良い。微調整の結果が最終的な水平画素数の調整の結果として保持される。
以上により、表示器１１０に適した水平画素数を得ることができる。
【００９６】
以上のように、水平画素数の調整を粗調整（Ｓ１３）と微調整（Ｓ１５）とが分けて行われるので、粗調整において水平画素数を粗く変化させることで、表示器１１０のおおよその水平画素数を高速に得ることができ、微調整において、水平画素数を細かく変化させることで、表示器１１０の正確な水平画素数を正確に得ることができる。従って、全体として、高速にかつ正確に水平画素数の調整を行うことができる。
【００９７】
垂直画素数の粗調整（Ｓ１４）が行われるときは、判定部１０６により妥当と判定された垂直画素数の候補値を、垂直画素数の粗調整の結果として採用し、保持する。
垂直画素数の微調整（Ｓ１６）が行われるときも上記と同様に、判定部１０６により妥当と判定された垂直画素数の候補値を、垂直画素数の微調整の結果として採用し、保持する。微調整の結果が得られたら、粗調整の結果は破棄しても良い。微調整の結果が最終的な垂直画素数の調整の結果として保持される。
以上により、表示器１１０に適した垂直画素数を得ることができる。
【００９８】
以上のように、垂直画素数の調整を粗調整（Ｓ１４）と微調整（Ｓ１６）とに分けて行われるので、粗調整において垂直画素数を粗く変化させることで、表示器１１０のおおよその垂直画素数を高速に得ることができ、微調整において、垂直画素数を細かく変化させることで、表示器１１０の正確な垂直画素数を正確に得ることができる。従って、全体として、高速にかつ正確に垂直画素数の調整を行うことができる。
【００９９】
ブランキング期間の調整（Ｓ１７）が行われるときは、判定部１０６から通知された、妥当なブランキング期間の値を、調整結果としてのブランキング期間として保持する。
水平ブランキング期間の調整が終わったら、該水平ブランキング期間を用いて、式（１Ａ）又は（１Ｂ）により、垂直ブランキング期間を算出し、算出結果を垂直ブランキング期間の調整結果として保持する。
【０１００】
データ形式の調整（Ｓ１８）が行われるときは、判定部１０６から通知された、妥当と判断されたデータ形式を、データ形式の調整結果として採用し、保持する。
【０１０１】
色深度の調整（Ｓ１９）が行われるときは、判定部１０６から通知された、妥当と判断された色深度を、調整結果として、即ち表示器１１０に適した色深度として保持する。
【０１０２】
全ての表示パラメータが決定した時点で、全ての表示パラメータを不揮発記憶部１０７へ書き込む（Ｓ２０）。これによって、表示パラメータの調整が完了する。不揮発記憶部１０７への書込みは、全ての表示パラメータが決定した後ではなく、各表示パラメータが決まる度に行っても良い。一つの表示パラメータの調整が終わった時点で、表示パラメータの調整を中断して、後に調整を再開することが可能となる。
この場合、水平画素数の粗調整が終わった時点で、該粗調整の結果を水平画素数の調整結果として書き込み、水平画素数の微調整が終わったら、該微調整の結果を、水平画素数の粗調整に結果に対して上書きすることとしても良い。同様に、垂直画素数の粗調整が終わった時点で、該粗調整の結果を垂直画素数の調整結果として書き込み、垂直画素数の微調整が終わったら、該微調整の結果を、垂直画素数の粗調整に結果に対して上書きすることとしても良い。
【０１０３】
次に、表示パラメータの調整が完了した後の、表示制御装置１００の動作を説明する。
表示パラメータの調整が完了した後の通常動作時には、
制御部１０１は、不揮発記憶部１０７から調整後の表示パラメータを出力させ、
選択部１０９に候補出力部１０２からの表示パラメータの代わりに、不揮発記憶部１０７から出力される、調整後の表示パラメータを選択させ、
選択部１０８に、調整画像出力部１０３からの調整画像を表すデータの代わりに、入力端子１１１から入力される通常映像データを選択させる。
【０１０４】
出力信号生成部１０４は、選択部１０８で選択された、入力端子１１１から入力される通常映像データを受けて、選択部１０９で選択された表示パラメータに基づいて、表示器１１０での表示に適した映像信号を生成して出力する。
これによって、入力端子１１１からの映像データを、表示器１１０に適した映像信号として出力することが可能となり、表示器１１０に映像を正しく表示させることが可能となる。
通常動作時には、制御部１０１、候補出力部１０２、調整画像出力部１０３、検出部１０５、判定部１０６の動作を停止する。これによって、表示制御装置の消費電力を抑えることが可能となる。
【０１０５】
実施の形態２．
また、検出部１０５として照度計などの明るさ検出部を用いて、表示器１１０に表示される映像の明るさを測定し、測定の結果得られる照度値を示す照度情報を検出情報として出力することも可能である。この場合、判定部１０６は、検出部１０５からの照度情報に基づいて表示パラメータの候補値が妥当であるか否かの判定を行う。
検出部１０５として、撮像部の代わりに明るさ検出部を用いることの利点は検出部１０５の構成がより簡単となることである。
【０１０６】
以下、実施の形態２における判定部１０６の動作を説明する。
画素クロック周波数の調整（Ｓ１２）が行われるときは、調整画像出力部１０３が図８（ｂ）に示される調整画像を出力している状態で、判定部１０６が、検出部１０５からの照度情報に基づいて、候補出力部１０２から候補値として出力されている画素クロック周波数が妥当であるか否かを判定して、妥当と判定された画素クロック周波数を制御部１０１に通知する。
【０１０７】
候補出力部１０２から出力されている画素クロック周波数が妥当な値である場合、表示器１１０には、調整画像出力部１０３から出力されている画像が表示されるが、画素クロック周波数が妥当でない場合、表示器１１０には何も表示されない。そこで、例えば、表示器１１０が何も表示していない状態（表示画面全体が黒の状態）であるか、調整画像出力部１０３からの調整画像が表示されている状態であるかを、判定部１０６が照度情報に基づいて判定する。この判定においては、照度情報で表される照度値が予め定められた値以上であれば、調整画像が表示されていると判定する。
【０１０８】
そして、調整画像を表示している状態であると判定したときは、そのとき候補出力部１０２から出力されている画素クロック周波数の候補値（「表示画面に調整画像が表示されている状態」を生じさせた画素クロック周波数の候補値）を、妥当な画素クロック周波数の値として制御部１０１に通知する。
【０１０９】
例えば、画素クロック周波数を次第に増加させながら、調整画像が表示器１１０に表示されない状態から表示される状態に切り替わったことが照度情報から確認されたときに、そのときの画素クロック周波数を妥当な値と判断する。
このように、候補出力部１０２から出力する画素クロック周波数を増加させながら調整を行うこととすれば、表示器１１０に適した最小の画素クロック周波数を得られ、表示制御装置の消費電力を低く抑えることができるという効果が得られる。
【０１１０】
水平画素数の粗調整又は微調整（Ｓ１３、Ｓ１５）が行われるときは、調整画像出力部１０３が図８（ｂ）に示される調整画像を出力している状態で、判定部１０６が、検出部１０５からの照度情報に基づいて、候補値としての水平画素数が妥当か否かを判定して、妥当と判定された水平画素数を制御部１０１に通知する。
【０１１１】
例えば、表示器１１０の表示画像に、調整画像の右側の領域Ｒｓが含まれる状態（図１０（ａ）〜（ｃ）又は図１０（ｅ）〜（ｇ）の状態）と、表示器１１０の表示画面に、調整画像の右側の領域Ｒｓが含まれていない状態（図１０（ｄ）、図１０（ｈ））の一方から他方に切り替わることにより、検出部１０５から出力される照度情報が高照度（予め定められた閾値以上）を示すものと低照度（予め定められた閾値未満）を示すものの一方から他方に変化したことを検出して、これにより水平画素数の候補値が妥当でない範囲と妥当な範囲の一方から他方に切り替わったことを検出し、この検出結果に基づいて妥当な水平画素数の候補値を判定する。
【０１１２】
例えば、候補出力部１０２が、水平画素数の候補値を次第に大きくしていき、調整画像の右側の領域Ｒｓが、表示器１１０の表示画像に含まれている状態から含まれていない状態に切り替わることにより、検出部１０５の出力が高照度を示す値から低照度を示す値に切り替わったときに、そのことを判定部１０６が検出して、そのときの水平画素数の候補値が妥当であると判断する。
【０１１３】
逆に、候補出力部１０２が、水平画素数の候補値を次第に小さくしていき、調整画像の右側の領域Ｒｓが、表示器１１０の表示画像に含まれていない状態から含まれている状態に切り替わることにより、検出部１０５の出力が低照度を示す値から高照度を示す値に切り替わったときに、そのことを判定部１０６が検出して、切り替わりの直前に用いられていた水平画素数の候補値が妥当であると判断することとしても良い。
【０１１４】
検出部１０５が明るさを検出するものである場合の水平画素数の調整においても、図８（ｂ）の調整画像に代えて、図８（ｃ）の調整画像（下側の領域Ｂｓを含まず、右側の領域Ｒｓを含む）を用いても良い。図８（ｃ）の調整画像を用いれば、表示画像に領域Ｒｓが含まれる状態（図１２（ａ）〜（ｃ）、図１２（ｅ）〜（ｇ））と、含まれない状態（図１２（ｄ）、図１２（ｈ））とで照度情報で表される照度値の差が大きくなり、領域Ｒｓが含まれる状態と領域Ｒｓが含まれない状態の一方から他方への切り替わりが起きたか否かの判定が容易となる。
【０１１５】
垂直画素数の粗調整又は微調整（Ｓ１４、Ｓ１６）が行われるときも、上記（Ｓ１３、Ｓ１５）と同様である。
【０１１６】
即ち、垂直画素数の粗調整又は微調整（Ｓ１４、Ｓ１６）が行われるときは、調整画像出力部１０３が図８（ｂ）に示される調整画像を出力している状態で、判定部１０６が、検出部１０５からの照度情報に基づいて、候補値としての垂直画素数が妥当か否かを判定して、妥当と判定された水平画素数を制御部１０１に通知する。
【０１１７】
例えば、表示器１１０の表示画像に、調整画像の下側の領域Ｂｓが含まれる状態（図１１（ａ）〜（ｃ）又は図１１（ｅ）〜（ｇ）の状態）と、表示器１１０の表示画面に、調整画像の下側の領域Ｂｓが含まれていない状態（図１１（ｄ）、図１１（ｈ））の一方から他方に切り替わることにより、検出部１０５から出力される照度情報が高照度を示すものと低照度を示すものの一方から他方に変化したことを検出して、これにより垂直画素数の候補値が妥当でない範囲と妥当な範囲の一方から他方に切り替わったことを検出し、この検出結果に基づいて妥当な垂直画素数の候補値を判定し、判定された垂直画素数の候補値を制御部１０１に通知する。
【０１１８】
例えば、候補出力部１０２が、垂直画素数の候補値を次第に大きくしていき、調整画像の下側の領域Ｂｓが、表示器１１０の表示画像に含まれている状態から含まれていない状態に切り替わることにより、検出部１０５の出力が高照度を示す値から低照度を示す値に切り替わったときに、そのことを判定部１０６が検出して、そのときの垂直画素数の候補値が妥当であると判断する。
【０１１９】
逆に、候補出力部１０２が、垂直画素数の候補値を次第に小さくしていき、調整画像の下側の領域Ｂｓが、表示器１１０の表示画像に含まれていない状態から含まれている状態に切り替わることにより、検出部１０５の出力が低照度を示す値から高照度を示す値に切り替わったときに、そのことを判定部１０６が検出して、切り替わりの直前に用いられていた垂直画素数の候補値が妥当であると判断することとしても良い。
【０１２０】
検出部１０５が明るさを検出するものである場合の垂直画素数の調整にも、図８（ｂ）の調整画像に代えて、図８（ｄ）の調整画像（右側の領域Ｒｓを含まず、下側の領域Ｂｓを含む）を用いても良い。図８（ｄ）の調整画像を用いれば、表示画像に領域Ｂｓが含まれる状態（図１３（ａ）〜（ｃ）、図１３（ｅ）〜（ｇ））と、含まれない状態（図１３（ｄ）、図１３（ｈ））とで照度情報で表される照度値の差が大きくなり、領域Ｂｓが含まれる状態と領域Ｂｓが含まれない状態の一方から他方への切り替わりが起きたか否かの判定が容易となる。
【０１２１】
データ形式の調整（Ｓ１８）が行われるときは、調整画像出力部１０３が、全画素について、Ｒ＝Ｇ＝Ｂ＝Ｆ０ｈとなる画像を、調整画像として出力している状態で、判定部１０６が、検出部１０５からの照度情報に基づいて、データ形式が妥当か否かを判定し、妥当と判定されたデータ形式を制御部１０１に通知する。
【０１２２】
例えば、表示器１１０に表示される表示画像が図９（ｄ）に示すように全面白色に近いことが照度情報から確認できたとき、判定部１０６は、候補出力部１０２から出力されているデータ形式と表示器１１０のデータ形式が一致していると判断して、そのとき、候補出力部１０２から出力されているデータ方式を妥当なデータ形式として制御部１０１に通知する。
照度情報による上記の確認においては、例えば照度情報で表される照度値が予め定められた値以上であれば、表示画像が全面白色に近いと判断される。
【０１２３】
色深度の調整（Ｓ１９）が行われるときは、調整画像出力部１０３が８ビットでのグラデーション画像と６ビットでのグラデーション画像を交互に、即ちある周期で切り替えながら出力している状態で、判定部１０６が、検出部１０５からの照度情報に基づいて、色深度を判定して、判定した色深度を制御部１０１に通知する。
【０１２４】
例えば、検出部１０５からの照度情報で表される照度値（表示器１１０の表示映像の明るさを表す）に周期的な変化があれば、判定部１０６は、色深度は８ビットであると判断する。そのような変化が無ければ、判定部１０６は、色深度は６ビットであると判断する。
判定部１０６はこのような判断の結果に基づいて妥当な色深度を判定し、制御部１０１に通知する。
【０１２５】
上記以外の点で、実施の形態２は実施の形態１と同じである。実施の形態１について説明した変形は、実施の形態２にも加え得る。
【０１２６】
実施の形態３．
検出部１０５として、複数の色成分、例えばＲ、Ｇ、Ｂの成分のそれぞれの大きさ（色成分値）を表す信号を出力する色検出部を用いて、表示器１１０に表示されている画像の色情報、即ち、複数の色成分のそれぞれの大きさ（色成分値）を取得し、取得した色情報を検出情報として出力することも可能である。
この場合、判定部１０６は、検出部１０５からの色情報に基づいて表示パラメータの候補値が妥当であるか否かの判定を行う。
検出部１０５として、撮像部の代わりに色検出部を用いることの利点は検出部１０５の構成がより簡単となることである。
【０１２７】
この場合、調整画像出力部１０３は、図８（ｂ）の調整画像として、領域Ｒｓと領域Ｂｓとで、異なる色のものを出力するのが望ましい。異なる色とは領域の支配色が異なること、即ち大きな値を持つ色成分が異なることを意味する。例えば領域Ｒｓは第１の色（例えば赤）、領域Ｂｓは第２の色（例えば青）が支配的であるとする。
【０１２８】
以下、実施の形態３における判定部１０６の動作を説明する。
画素クロック周波数の調整（Ｓ１２）が行われるときは、調整画像出力部１０３が図８（ａ）に示される調整画像を出力している状態で、判定部１０６が、検出部１０５からの色情報に基づいて、候補出力部１０２から候補値として出力されている画素クロック周波数が妥当であるか否かを判定して、妥当と判定された画素クロック周波数を制御部１０１に通知する。
【０１２９】
候補出力部１０２から出力されている画素クロック周波数が妥当な値である場合、表示器１１０には、調整画像出力部１０３から出力されている画像が表示されるが、画素クロック周波数が妥当でない場合、表示器１１０には何も表示されない。そこで、例えば、表示器１１０が何も表示していない状態（表示画面全体が黒の状態）であるか、調整画像出力部１０３からの調整画像が表示されている状態であるかを、判定部１０６が色情報に基づいて判定する。この判定においては、色情報に基づいて算出される輝度値が予め定められた値以上であれば、調整画像が表示されていると判定する。また、調整画像の色に対応する色成分値が予め定められた値以上であれば、調整画像が表示されていると判定することとしても良い。
【０１３０】
そして、調整画像を表示している状態であると判定したときは、そのとき候補出力部１０２から出力されている画素クロック周波数の候補値（「表示画面に調整画像が表示されている状態」を生じさせた画素クロック周波数の候補値）を、妥当な画素クロック周波数の値として制御部１０１に通知する。
【０１３１】
なお、調整画像出力部１０３が出力する調整画像として、色のついた（特定の色が支配的である）調整画像を出力することとし、判定部１０６が、検出部１０５から出力される色成分値のうち、調整画像の色に対応する色成分値の大きさに基づいて、画素クロック周波数が妥当であるか否かの判断を行うこととしても良い。この場合には、判定部１０６における輝度の計算が不要である。
【０１３２】
例えば、画素クロック周波数を次第に増加させながら、調整画像が表示器１１０に表示されない状態から表示される状態に切り替わったことが色情報から確認されたときに、そのときの画素クロック周波数を妥当な値と判断する。
このように、候補出力部１０２から出力する画素クロック周波数を増加させながら調整を行うこととすれば、表示器１１０に適した最小の画素クロック周波数を得られ、表示制御装置の消費電力を低く抑えることができるという効果が得られる。
【０１３３】
水平画素数の粗調整又は微調整（Ｓ１３、Ｓ１５）が行われるときは、調整画像出力部１０３が図８（ｂ）に示される調整画像であって、上記のように、領域Ｒｓ、Ｂｓに互いに異なる色のついた画像（特定のパターンの画像、或いは均一な色で塗りつぶされた画像であって、互いに異なる色が支配的である画像）を出力している状態で、判定部１０６が、検出部１０５からの色情報に基づいて、候補値としての水平画素数が妥当か否かを判定して、妥当と判定された水平画素数を制御部１０１に通知する。
【０１３４】
例えば、表示器１１０の表示画像に、調整画像の右側の領域Ｒｓが含まれる状態（図１０（ａ）〜（ｃ）又は図１０（ｅ）〜（ｇ）の状態）と、表示器１１０の表示画面に、調整画像の右側の領域Ｒｓが含まれていない状態（図１０（ｄ）、図１０（ｈ））の一方から他方に切り替わることにより、検出部１０５から出力される色情報が変化したことを検出して、これにより水平画素数の候補値が妥当でない範囲と妥当な範囲の一方から他方に切り替わったことを検出し、この検出結果に基づいて妥当な水平画素数の候補値を判定する。
【０１３５】
例えば、領域Ｒｓの色（支配色、或いは領域全体で最も成分値が大きい色）を第１の色成分（例えば赤色成分）とし、領域Ｂｓの色を第２の色成分（例えば青色成分）とし、
検出部１０５からの色情報（画面全体の色を表す）が、第１の色成分が多い（予め定められた閾値以上である）ことを示すときは、領域Ｒｓが表示画像に含まれていると判断し、第１の色成分が少ない（予め定められた閾値未満である）ことを示すときは、領域Ｒｓが表示画像に含まれていないと判断する。
【０１３６】
例えば、水平画素数の候補値を次第に大きくしていき、調整画像の右側の領域Ｒｓが、表示器１１０の表示画像に含まれている状態から含まれていない状態に切り替わることにより、検出部１０５から出力される、第１の色成分の値が、予め定められた閾値以上から、該閾値未満に切り替わったことを判定部１０６が検出し、そのときの水平画素数の候補値が妥当であると判定する。
【０１３７】
逆に、水平画素数の候補値を次第に小さくしていき、調整画像の右側の領域Ｒｓが、表示器１１０の表示画像に含まれていない状態から含まれている状態に切り替わることにより、検出部１０５から出力される、第１の色成分の値が、予め定められた閾値未満から、該閾値以上に切り替わったことを判定して、切り替わりの直前に用いられていた水平画素数の候補値が妥当であると判断しても良い。
【０１３８】
検出部１０５が色を検出するものである場合の水平画素数の調整においても、図８（ｂ）の調整画像に代えて、図８（ｃ）の調整画像（下側の領域Ｂｓを含まず、右側の領域Ｒｓを含む）を用いても良い。図８（ｃ）の調整画像を用いれば、表示画像に領域Ｒｓが含まれる状態（図１２（ａ）〜（ｃ）、図１２（ｅ）〜（ｇ））と、含まれない状態（図１２（ｄ）、図１２（ｈ））とで色成分値の差が大きくなり、領域Ｒｓが含まれる状態と領域Ｒｓが含まれない状態の一方から他方への切り替わりが起きたか否かの判定が容易となる。また、領域Ｒｓと領域Ｂｓの画像を互いに異なる色のものとしなくても良い。
【０１３９】
垂直画素数の粗調整又は微調整（Ｓ１４、Ｓ１６）が行われるときも上記同様である。
即ち、垂直画素数の粗調整又は微調整（Ｓ１４、Ｓ１６）が行われるときは、調整画像出力部１０３が図８（ｂ）に示される調整画像であって、上記のように、領域Ｒｓ、Ｂｓに互いに異なる色のついた画像（特定のパターンの画像、或いは均一な色で塗りつぶされた画像であって、互いに異なる色が支配的である画像）を出力している状態で、判定部１０６が、検出部１０５からの色情報に基づいて、候補値としての垂直画素数が妥当か否かを判定して、妥当と判定された垂直画素数を制御部１０１に通知する。
【０１４０】
例えば、表示器１１０の表示画像に、調整画像の下側の領域Ｂｓが含まれる状態（図１１（ａ）〜（ｃ）又は図１１（ｅ）〜（ｇ）の状態）と、表示器１１０の表示画面に、調整画像の下側の領域Ｂｓが含まれていない状態（図１１（ｄ）、図１１（ｈ））の一方から他方に切り替わることにより、検出部１０５から出力される色情報が変化したことを検出して、これにより垂直画素数の候補値が妥当でない範囲と妥当な範囲の一方から他方に切り替わったことを検出し、この検出結果に基づいて妥当な垂直画素数の候補値を判定する。
【０１４１】
例えば、領域Ｒｓの色（支配色、或いは領域全体で最も成分値が大きい色）を第１の色成分（例えば赤色成分）とし、領域Ｂｓの色を第２の色成分（例えば青色成分）とし、
検出部１０５からの色情報（画面全体の色を表す）が、第２の色成分が多い（予め定められた閾値以上である）ことを示すときは、領域Ｂｓが表示画像に含まれていると判断し、第２の色成分が少ない（予め定められた閾値未満である）ことを示すときは、領域Ｂｓが表示画像に含まれていないと判断する。
【０１４２】
例えば、垂直画素数の候補値を次第に大きくしていき、調整画像の下側の領域Ｂｓが、表示器１１０の表示画像に含まれている状態から含まれていない状態に切り替わることにより、検出部１０５から出力される、第２の色成分の値が、予め定められた閾値以上から、該閾値未満に切り替わったことを判定部１０６が検出し、そのときの垂直画素数の候補値が妥当であると判定する。
【０１４３】
逆に、垂直画素数の候補値を次第に小さくしていき、調整画像の下側の領域Ｂｓが、表示器１１０の表示画像に含まれていない状態から含まれている状態に切り替わることにより、検出部１０５から出力される、第２の色成分の値が、予め定められた閾値未満から、該閾値以上に切り替わったことを判定して、切り替わりの直前に用いられていた垂直画素数の候補値が妥当であると判断しても良い。
【０１４４】
検出部１０５が色を検出するものである場合の垂直画素数の調整においても、図８（ｂ）の調整画像に代えて、図８（ｄ）の調整画像（右側の領域Ｒｓを含まず、下側の領域Ｂｓを含む）を用いても良い。図８（ｄ）の調整画像を用いれば、表示画像に領域Ｂｓが含まれる状態（図１３（ａ）〜（ｃ）、図１３（ｅ）〜（ｇ））と、含まれない状態（図１３（ｄ）、図１３（ｈ））とで色成分値の差が大きくなり、領域Ｂｓが含まれる状態と領域Ｂｓが含まれない状態の一方から他方への切り替わりが起きたか否かの判定が容易となる。また、領域Ｒｓと領域Ｂｓの画像を互いに異なる色のものとしなくても良い。
【０１４５】
データ形式の調整（Ｓ１８）が行われるときは、調整画像出力部１０３が、全画素について、Ｒ＝Ｇ＝Ｂ＝Ｆ０ｈとなる画像を、調整画像として出力している状態で、判定部１０６が、検出部１０５からの色情報に基づいて、データ形式が妥当か否かを判定し、妥当と判定されたデータ形式を制御部１０１に通知する。
【０１４６】
例えば、表示器１１０に表示される表示画像が図９（ｄ）に示すように全面白色に近いことが色情報から確認できたとき、判定部１０６は、候補出力部１０２から出力されているデータ形式と表示器１１０のデータ形式が一致していると判断して、そのとき、候補出力部１０２から出力されているデータ方式を妥当なデータ形式として制御部１０１に通知する。色情報による上記の確認においては、例えば色情報から算出される輝度値が予め定められた値以上であれば、表示画像が全面白色に近いと判断される。色情報に基づく輝度値の算出は、色成分値を重み付け加算することで行われる。
【０１４７】
色深度の調整（Ｓ１９）が行われるときは、調整画像出力部１０３が、８ビットグラデーション画像と６ビットグラデーション画像を交互に、即ちある周期で切り替えながら出力している状態で、判定部１０６が、検出部１０５からの色情報に基づいて、色深度を判定して、判定した色深度を制御部１０１に通知する。
【０１４８】
例えば、検出部１０５からの色情報に周期的な変化があれば、判定部１０６は、色深度は８ビットであると判断する。そのような変化が無ければ、判定部１０６は、色深度は６ビットであると判断する。
色情報の変化としては、各色成分値の変化を検出しても良く、すべての色成分値を重み付け加算することで得られる輝度の変化を検出しても良い。
【０１４９】
上記以外の点で、実施の形態３は実施の形態１と同じである。実施の形態１及び２について説明した変形は、実施の形態３にも加え得る。
【０１５０】
実施の形態４．
図１６は、本発明の実施の形態４の表示制御装置１００ｂを概略的に示すブロック図である。
図示の表示制御装置１００ｂは、図１の表示制御装置１００と概して同じであるが、検出部１０５の代わりに検出情報入力部１１５を備える。
【０１５１】
検出情報入力部１１５は、調整作業者が操作して情報を入力することができるものであれば良く、例えばキーボード、マウス等で構成される。
検出情報入力部１１５を用いる場合、調整作業者が調整画像を表示した表示器１１０の表示画面を目視することで表示内容を確認し、確認の結果に基づいて検出情報入力部１１５を操作したとき、検出情報入力部１１５は、調整作業者による操作入力を検出情報として判定部１０６に伝える。
検出情報入力部１１５を用いれば、撮像部、明るさ検出部、色検出部などの検出部を設けることなく、表示パラメータの調整を行うことができる。
【０１５２】
以下では検出情報入力部１１５としてキーボードが用いられる場合を例にして、検出情報入力部１１５及び判定部１０６の動作を説明する。
検出情報入力部１１５としてキーボードを用いる場合、例えば、キーボードの、予め定められたキーが調整作業者により押されたことを検出情報入力部１１５が検出して、検出情報が判定部１０６に伝えられる。
【０１５３】
画素クロック周波数の調整（Ｓ１２）が行われるときは、調整画像出力部１０３が図８（ａ）に示される調整画像を出力している状態で、判定部１０６が、検出情報入力部１１５からの操作入力に基づいて、候補出力部１０２から候補値として出力されている画素クロック周波数が妥当であるか否かを判定して、妥当と判定された画素クロック周波数を制御部１０１に通知する。
【０１５４】
候補出力部１０２から出力されている画素クロック周波数が妥当な値である場合、表示器１１０には、調整画像出力部１０３から出力されている画像が表示されるが、画素クロック周波数が妥当でない場合、表示器１１０には何も表示されない。そこで、例えば、表示器１１０が何も表示していない状態（表示画面全体が黒の状態）であるか、調整画像出力部１０３からの調整画像が表示されている状態であるかを、調整作業者が目視で確認し、確認結果に基づいてキーボードを操作する。
この場合の操作入力としては、例えば表示器１１０に調整画像が表示されているときは予め定められたあるキー（第１のキー）を押し、そうでないときに上記第１のキーを押さないことと定めておいても良く、例えば表示器１１０に調整画像表示されているときに予め定められたあるキー（第１のキー）を押し、そうでないときに上記第１のキーとは別のキー（第２のキー）を押すことと定めておいても良い。
【０１５５】
判定部１０６は、検出情報入力部１１５からの操作入力に基づいて表示器１１０が何も表示していない状態（表示画面全体が黒の状態）であるか、調整画像出力部１０３からの調整画像が表示されている状態であるかを判定する。
【０１５６】
例えば、画素クロック周波数を次第に増加させながら、調整画像が表示器１１０に表示されない状態から表示される状態に切り替わったことが目視により確認され、対応する操作入力があったときに、そのときの画素クロック周波数を妥当な値と判断する。
このように、候補出力部１０２から出力する画素クロック周波数を増加させながら調整を行うこととすれば、表示器１１０に適した最小の画素クロック周波数を得られ、表示制御装置の消費電力を低く抑えることができるという効果が得られる。
【０１５７】
水平画素数の粗調整又は微調整（Ｓ１３、Ｓ１５）が行われるときは、調整画像出力部１０３が図８（ｂ）に示される調整画像を出力している状態で、判定部１０６が、検出情報入力部１１５からの操作入力に基づいて、候補値としての水平画素数が妥当か否かを判定して、妥当と判定された水平画素数を制御部１０１に通知する。
【０１５８】
例えば、表示器１１０の表示画像に、調整画像の右側の領域Ｒｓが含まれる状態（図１０（ａ）〜（ｃ）又は図１０（ｅ）〜（ｇ）の状態）と、表示器１１０の表示画面に、調整画像の右側の領域Ｒｓが含まれていない状態（図１０（ｄ）、図１０（ｈ））の一方から他方に切り替わったことを調整作業者が目視で確認して、確認結果に基づいて検出情報入力部１１５を操作し、検出情報入力部１１５は操作入力を判定部１０６に伝える。
判定部１０６は、検出情報入力部１１５からの操作入力により水平画素数の候補値が妥当でない範囲と妥当な範囲の一方から他方に切り替わったことを検出し、この検出結果に基づいて妥当な水平画素数の候補値を判定する。
この場合の操作入力としては、例えば領域Ｒｓが表示画像に含まれているときに予め定められたあるキー（第１のキー）を押し、そうでないときに上記第１のキーを押さないことと定めておいても良く、例えば領域Ｒｓが表示画像に含まれているときに予め定められたあるキー（第１のキー）を押し、そうでないときに上記第１のキーとは別のキー（第２のキー）を押すことと定めておいても良い。
【０１５９】
例えば、候補出力部１０２が、水平画素数の候補値を次第に大きくしていき、調整画像の右側の領域Ｒｓが、表示器１１０の表示画像に含まれている状態から含まれていない状態に切り替わったことを、調整作業者が目視で確認し、確認結果に基づいて検出情報入力部１１５を操作し、検出情報入力部１１５からの操作入力に基づいて判定部１０６がそのときの水平画素数の候補値が妥当であると判断する。
【０１６０】
逆に、候補出力部１０２が、水平画素数の候補値を次第に小さくしていき、調整画像の右側の領域Ｒｓが、表示器１１０の表示画像に含まれていない状態から含まれている状態に切り替わったことを、調整作業者が目視で確認し、確認結果に基づいて検出情報入力部１１５を操作し、検出情報入力部１１５からの操作入力に基づいて判定部１０６が切り替わりの直前に用いられていた水平画素数の候補値が妥当であると判断しても良い。
【０１６１】
検出情報入力部１１５を用いて行われる水平画素数の調整においても、図８（ｂ）の調整画像に代えて、図８（ｃ）の調整画像（下側の領域Ｂｓを含まず、右側の領域Ｒｓを含む）を用いても良い。図８（ｃ）の調整画像を用いれば、表示画像に領域Ｒｓが含まれる状態（図１２（ａ）〜（ｃ）、図１２（ｅ）〜（ｇ））と、含まれない状態（図１２（ｄ）、図１２（ｈ））との違いが目視でより確認しやすくなり、領域Ｒｓが含まれる状態と領域Ｒｓが含まれない状態の一方から他方への切り替わりが起きたか否かの判定がより確実なものとなる。
【０１６２】
垂直画素数の粗調整又は微調整（Ｓ１４、Ｓ１６）が行われるときも、上記（Ｓ１３、Ｓ１５）と同様である。
即ち、垂直画素数の粗調整又は微調整（Ｓ１４、Ｓ１６）が行われるときは、調整画像出力部１０３が図８（ｂ）に示される調整画像を出力している状態で、判定部１０６が、検出情報入力部１１５からの操作入力に基づいて、候補値としての垂直画素数が妥当か否かを判定して、妥当と判定された水平画素数を制御部１０１に通知する。
【０１６３】
例えば、表示器１１０の表示画像に、調整画像の下側の領域Ｂｓが含まれる状態（図１１（ａ）〜（ｃ）又は図１１（ｅ）〜（ｇ）の状態）と、表示器１１０の表示画面に、調整画像の下側の領域Ｂｓが含まれていない状態（図１１（ｄ）、図１１（ｈ））の一方から他方に切り替わったことを調整作業者が目視で確認して、確認結果に基づいて検出情報入力部１１５を操作し、検出情報入力部１１５は操作入力を判定部１０６に伝える。
判定部１０６は、検出情報入力部１１５からの操作入力により垂直画素数の候補値が妥当でない範囲と妥当な範囲の一方から他方に切り替わったことを検出し、この検出結果に基づいて妥当な垂直画素数の候補値を判定する。
この場合の操作入力としては、例えば領域Ｂｓが表示画像に含まれているときに予め定められたあるキー（第１のキー）を押し、そうでないときに上記第１のキーを押さないことと定めておいても良く、例えば領域Ｂｓが表示画像に含まれているときに予め定められたあるキー（第１のキー）を押し、そうでないときに上記第１のキーとは別のキー（第２のキー）を押すことと定めておいても良い。
【０１６４】
例えば、候補出力部１０２が、垂直画素数の候補値を次第に大きくしていき、調整画像の下側の領域Ｂｓが、表示器１１０の表示画像に含まれている状態から含まれていない状態に切り替わったことを、調整作業者が目視で確認し、確認結果に基づいて検出情報入力部１１５を操作し、検出情報入力部１１５からの操作入力に基づいて判定部１０６がそのときの垂直画素数の候補値が妥当であると判断する。
【０１６５】
逆に、候補出力部１０２が、垂直画素数の候補値を次第に小さくしていき、調整画像の下側の領域Ｂｓが、表示器１１０の表示画像に含まれていない状態から含まれている状態に切り替わったことを、調整作業者が目視で確認し、確認結果に基づいて検出情報入力部１１５を操作し、検出情報入力部１１５からの操作入力に基づいて判定部１０６が切り替わりの直前に用いられていた垂直画素数の候補値が妥当であると判断しても良い。
【０１６６】
検出情報入力部１１５を用いて行われる垂直画素数の調整においても、図８（ｂ）の調整画像に代えて、図８（ｄ）の調整画像（右側の領域Ｒｓを含まず、下側の領域Ｂｓを含む）を用いても良い。図８（ｄ）の調整画像を用いれば、表示画像に領域Ｂｓが含まれる状態（図１３（ａ）〜（ｃ）、図１３（ｅ）〜（ｇ））と、含まれない状態（図１３（ｄ）、図１３（ｈ））との違いが目視でより確認しやすくなり、領域Ｂｓが含まれる状態と領域Ｂｓが含まれない状態の一方から他方への切り替わりが起きたか否かの判定がより確実なものとなる。  
【０１６７】
ブランキング期間の調整（Ｓ１７）が行われるときは、調整画像出力部１０３が図８（ｅ）に示される画像を出力している状態で、判定部１０６が、検出情報入力部１１５からの操作入力に基づいて、表示器１１０において、水平ブランキング期間の調整画像が正しく表示される範囲（水平ブランキング期間の範囲）を判定し、当該範囲の中央値を最適な水平ブランキング期間と決定し、決定した水平ブランキング期間を制御部１０１に通知する。
【０１６８】
例えば、候補出力部１０２が水平ブランキング期間の候補値を変化させながら出力しているときに、判定部１０６は、各候補値について水平ブランキング期間の調整画像が正しく表示されるか否かを検出情報入力部１１５からの操作入力に基づいて判定し、該調整画像が正しく表示される水平ブランキング期間の範囲を判定する。
【０１６９】
例えば、図９（ｃ）のように、左右の端部の領域Ｌｅ、Ｒｅの幅が予め定められた範囲内の値を有するか否かを調整作業者が目視で確認し、確認結果を検出情報入力部１１５に入力する。
この場合の操作入力としては、例えば左右の端部の領域Ｌｅ、Ｒｅの幅が予め定められた範囲内であると判断したときは、予め定められたあるキー（第１のキー）を押し、そうでないときに上記第１のキーを押さないことと定めておいても良く、例えば左右の端部の領域Ｌｅ、Ｒｅの幅が予め定められた範囲内であると判断したときは、予め定められたあるキー（第１のキー）を押し、そうでないときに上記第１のキーとは別のキー（第２のキー）を押すことと定めておいても良い。
【０１７０】
検出情報入力部１１５は、操作入力を判定部１０６に伝え、判定部１０６は、検出情報入力部１１５から伝えられた操作入力に基づいて調整画像が正しく表示されていると判定し、それ以外の場合には、調整画像が正しく表示されていないと判定する。
【０１７１】
例えば、候補出力部１０２が水平ブランキング期間の候補値を次第に長くしていき、その結果調整画像が正しく表示されない状態から正しく表示される状態に切り替わったときに、判定部１０６は、そのときの水平ブランキングの候補値を上記水平ブランキング期間の調整画像が正しく表示される範囲の下限と判断する。
【０１７２】
候補出力部１０２が水平ブランキング期間の候補値をさらに長くしていき、その結果調整画像が正しく表示される状態から正しく表示されない状態に切り替わったときに、判定部１０６は、当該切り替わりの直前に使用された候補値を、上記水平ブランキング期間の調整画像が正しく表示される範囲の上限と判断する。
【０１７３】
そして、上記の調整画像が正しく表示される範囲の代表値、例えば中央値をブランキング期間の最適値と決定する。
そして、このように決定された最適値を、妥当なブランキング期間の値として制御部１０１に通知する。
【０１７４】
データ形式の調整（Ｓ１８）が行われるときは、調整画像出力部１０３が、全画素について、Ｒ＝Ｇ＝Ｂ＝Ｆ０ｈとなる画像を、調整画像として出力している状態で、判定部１０６が、検出情報入力部１１５からの操作入力に基づいて、データ形式が妥当か否かを判定し、妥当と判定されたデータ形式を制御部１０１に通知する。
【０１７５】
例えば、表示器１１０に表示される表示画像が図９（ｄ）に示すように全面白色に近いことを、調整作業者が目視により確認したときは、確認結果を検出情報入力部１１５に入力する。
この場合の操作入力としては、例えば表示画像が全面白色に近いと判断したときは予め定められたあるキー（第１のキー）を押し、そうでないときに上記第１のキーを押さないことと定めておいても良く、表示画像が全面白色に近いと判断したときは予め定められたあるキー（第１のキー）を押し、そうでないときに上記第１のキーとは別のキー（第２のキー）を押すことと定めておいても良い。
【０１７６】
検出情報入力部１１５は操作入力を判定部１０６に伝え、判定部１０６は、この操作入力に基づいて、候補出力部１０２から出力されているデータ形式と表示器１１０のデータ形式が一致していると判断して、そのとき、候補出力部１０２から出力されているデータ方式を妥当なデータ形式として制御部１０１に通知する。
【０１７７】
色深度の調整（Ｓ１９）が行われるときは、調整画像出力部１０３が８ビットでのグラデーション画像と６ビットでのグラデーション画像を交互に、即ちある周期で切り替えながら出力している状態で、判定部１０６が、検出情報入力部１１５からの操作入力に基づいて、色深度を判定して、判定した色深度を制御部１０１に通知する。
【０１７８】
例えば、調整作業者が、表示画像に周期的な変化があるか否かを目視で確認し、確認結果に応じて検出情報入力部１１５を操作する。
この場合の操作入力としては、例えば周期的な変化があると判断したときは予め定められたあるキー（第１のキー）を押し、そうでないときに上記第１のキーを押さないことと定めておいても良く、周期的な変化が有ると判断したときに予め定められたあるキー（第１のキー）を押し、そうでないときに上記第１のキーとは別のキー（第２のキー）を押すことと定めておいても良い。
【０１７９】
検出情報入力部１１５は、操作入力を判定部１０６に伝え、判定部１０６は伝えられた操作入力に基づいて、色深度を判断する。即ち、周期的な変化があることを示す操作入力が伝えられたときは、判定部１０６は、色深度が８ビットであると判断し、そのような変化が無いことを示す操作入力が伝えられたときは、判定部１０６は、色深度が６ビットであると判断する。
判定部１０６はこのような判断の結果に基づいて妥当な色深度を判定し、制御部１０１に通知する。
【０１８０】
また、図９（ｅ）に示すような擬似輪郭ＦＣ１〜ＦＣ５が発生するか否かを、調整作業者が目視で確認して、確認結果に基づいて検出情報入力部１１５を操作することで、操作入力を検出情報入力部１１５から判定部１０６に伝え、該操作入力に基づいて判定部１０６で、表示器１１０の色深度の判定を行っても良い。
【０１８１】
上記以外の点では、実施の形態４の動作は実施の形態１と同じである。実施の形態１、２及び３について説明した変形は、実施の形態４にも加え得る。
【０１８２】
以上、本発明を表示制御装置として説明したが、上記の表示制御装置で実施される表示制御方法もまた本発明の一部を成す。また、表示制御装置の一部又は全部はソフトウェアで、即ちプログラムされたコンピュータで実現することができ、表示制御装置の各部或いは表示制御方法の各ステップの処理をコンピュータに実行させるためのプログラム、該プログラムを記録したコンピュータで読取可能な記録媒体もまた本発明の一部を成す。
【符号の説明】
【０１８３】
１００  表示制御装置、  １０１  制御部、  １０２  候補出力部、  １０３  調整画像出力部、  １０４  出力信号生成部、  １０５  検出部、  １０６  判定部、  １０７  不揮発記憶部、  １１０  表示器、  １１１、１１３、１１２  端子。
【図１】
2015079180.tif 000003
【図２】
2015079180.tif 000004
【図３】
2015079180.tif 000005
【図４】
2015079180.tif 000006
【図５】
2015079180.tif 000007
【図６】
2015079180.tif 000008
【図７】
2015079180.tif 000009
【図８】
2015079180.tif 000010
【図９】
2015079180.tif 000011
【図１０】
2015079180.tif 000012
【図１１】
2015079180.tif 000013
【図１２】
2015079180.tif 000014
【図１３】
2015079180.tif 000015
【図１４】
2015079180.tif 000016
【図１５】
2015079180.tif 000017
【図１６】
2015079180.tif 000018